(57)【要約】【課題】１チューナタイプの放送受信機において、受信中の放送局の視聴を続けながらスキャンを行うことができる「放送局のスキャンシステムおよびスキャン方法」を提供する。【解決手段】スマートフォン２００にスキャンの実行を要求するスキャン要求部１３と、この要求に応じてスキャンを実行するスキャン処理部２２と、スマートフォン２００からスキャン結果として送られてくる１以上の放送局の情報に従って、受信可能局リストを生成するリスト生成部１５とを備え、車載機１００では受信中の放送局の受信を継続しつつ、スマートフォン２００でスキャンを行い、そのスキャンが終了したタイミングで、車載機１００で受信可能局リストの生成を行うことができるようにする。【選択図】図２
2015119439.tif 000002
【特許請求の範囲】
【請求項１】
少なくとも１つのチューナを備えた第１の放送受信機と、少なくとも１つのチューナを備えた第２の放送受信機とを備え、上記第１の放送受信機と上記第２の放送受信機とが相互に通信可能になされた放送局のスキャンシステムであって、
上記第１の放送受信機は、
受信可能局のスキャンの実行を上記第２の放送受信機に要求するスキャン要求部と、
上記スキャン要求部による要求に応じて上記第２の放送受信機から返送されてくる放送局に関する情報を受信する放送局情報受信部と、
上記放送局情報受信部により受信された情報に従って、受信可能局リストを生成するリスト生成部とを備え、
上記第２の放送受信機は、
上記スキャン要求部による要求に応じて、受信可能な１以上の放送局を抽出するための上記スキャンを実行するスキャン処理部と、
上記スキャン処理部により抽出された上記１以上の放送局に関する情報を上記第１の放送受信機に送信する放送局情報送信部とを備えた
ことを特徴とする放送局のスキャンシステム。
【請求項２】
少なくとも１つのチューナを備えた第１の放送受信機と、少なくとも１つのチューナを備えた第２の放送受信機とを備え、上記第１の放送受信機と上記第２の放送受信機とが相互に通信可能になされた放送局のスキャンシステムであって、
上記第１の放送受信機は、
受信可能局のスキャンの実行を上記第２の放送受信機に要求するスキャン要求部と、
上記スキャン要求部による要求に応じて上記第２の放送受信機から返送されてくる受信可能局リストを受信するリスト受信部とを備え、
上記第２の放送受信機は、
上記スキャン要求による要求に応じて、受信可能な１以上の放送局を抽出するための上記スキャンを実行するスキャン処理部と、
上記スキャン処理部により抽出された上記１以上の放送局に関する情報に従って、受信可能局リストを生成するリスト生成部と、
上記リスト生成部により生成された上記受信可能局リストを上記第１の放送受信機に送信するリスト送信部とを備えた
ことを特徴とする放送局のスキャンシステム。
【請求項３】
上記第１の放送受信機は、上記スキャンを実行する条件を満たすか否かを判定する条件判定部を更に備え、
上記スキャン要求部は、上記条件判定部により上記スキャンを実行する条件を満たすと判定された場合、上記スキャンの実行を上記第２の放送受信機に要求することを特徴とする請求項１または２のいずれかに記載の放送局のスキャンシステム。
【請求項４】
上記スキャン要求部は、上記条件判定部により上記スキャンを実行する条件を満たすと判定された場合、上記第１の放送受信機で受信中の放送局に関する情報を上記第２の放送受信機に送信して上記スキャンの実行を要求し、
上記第１の放送受信機は、上記スキャン要求部が上記スキャンの実行を上記第２の放送受信機に要求した時点で、上記受信中の放送局の電界強度を検出する電界強度検出部を更に備え、
上記第２の放送受信機は、上記スキャン処理部が上記第１の放送受信機から上記スキャンの実行の要求と共に上記受信中の放送局に関する情報を受信した時点で、当該受信中の放送局について上記第２の放送受信機での電界強度を検出する第２の電界強度検出部を更に備え、
上記第１の放送受信機または第２の放送受信機は、上記電界強度検出部により検出された電界強度と、上記第２の電界強度検出部により検出された電界強度とに基づいて、補正値を算出する補正値算出部を更に備え、
上記第２の放送受信機は、上記スキャン処理部が上記スキャンを実行する際に検出される電界強度または当該電界強度との比較対象とされる基準値を、上記補正値算出部により算出された補正値によって補正する補正部を更に備えた
ことを特徴とする請求項３に記載の放送局のスキャンシステム。
【請求項５】
上記補正値算出部は、上記電界強度検出部により検出された電界強度と、上記第２の電界強度検出部により検出された電界強度との差分を上記補正値として算出することを特徴とする請求項４に記載の放送局のスキャンシステム。
【請求項６】
上記条件判定部は、受信中の放送局の電界強度が所定値以下となったか否かを判定し、
上記スキャン要求部は、上記条件判定部により上記電界強度が所定値以下となったと判定された場合、上記スキャンの実行を上記第２の放送受信機に要求する
ことを特徴とする請求項３から５のいずれか１項に記載の放送局のスキャンシステム。
【請求項７】
上記条件判定部は、上記リスト生成部が上記受信可能局リストを前回生成してから所定時間経過したか否かを判定し、
上記スキャン要求部は、上記条件判定部により上記所定時間経過したと判定された場合、上記スキャンの実行を上記第２の放送受信機に要求する
ことを特徴とする請求項３から５のいずれか１項に記載の放送局のスキャンシステム。
【請求項８】
上記第１の放送受信機または上記第２の放送受信機は、自装置の現在位置を算出する現在位置算出部を更に備え、
上記条件判定部は、上記リスト生成部が上記受信可能局リストを前回生成してから上記現在位置が所定距離以上移動したか否かを判定し、
上記スキャン要求部は、上記条件判定部により上記所定距離以上移動したと判定された場合、上記スキャンの実行を上記第２の放送受信機に要求する
ことを特徴とする請求項３から５のいずれか１項に記載の放送局のスキャンシステム。
【請求項９】
少なくとも１つのチューナを備えた第１の放送受信機と、少なくとも１つのチューナを備えた第２の放送受信機とを備え、上記第１の放送受信機と上記第２の放送受信機とが相互に通信可能になされたシステムにおいて実行する放送局のスキャン方法であって、
上記第１の放送受信機のスキャン要求部が、受信可能局のスキャンの実行を上記第２の放送受信機に要求する第１のステップと、
上記第２の放送受信機のスキャン処理部が、上記スキャン要求部による要求に応じて、受信可能な１以上の放送局を抽出するための上記スキャンを実行する第２のステップと、
上記第２の放送受信機の放送局情報送信部が、上記スキャン処理部により抽出された上記１以上の放送局に関する情報を上記第１の放送受信機に送信する第３のステップと、
上記第１の放送受信機の放送局情報受信部が、上記放送局情報送信部により送信された上記１以上の放送局に関する情報を受信する第４のステップと、
上記第１の放送受信機のリスト生成部が、上記放送局情報受信部により受信された情報に従って、受信可能局リストを生成する第５のステップとを有する
ことを特徴とする放送局のスキャン方法。
【請求項１０】
少なくとも１つのチューナを備えた第１の放送受信機と、少なくとも１つのチューナを備えた第２の放送受信機とを備え、上記第１の放送受信機と上記第２の放送受信機とが相互に通信可能になされたシステムにおいて実行する放送局のスキャン方法であって、
上記第１の放送受信機のスキャン要求部が、受信可能局のスキャンの実行を上記第２の放送受信機に要求する第１のステップと、
上記第２の放送受信機のスキャン処理部が、上記スキャン要求部による要求に応じて、受信可能な１以上の放送局を抽出するための上記スキャンを実行する第２のステップと、
上記第２の放送受信機のリスト生成部が、上記スキャン処理部により抽出された上記１以上の放送局に関する情報に従って、受信可能局リストを生成する第３のステップと、
上記第２の放送受信機のリスト送信部が、上記リスト生成部により生成された上記受信可能局リストを上記第１の放送受信機に送信する第４のステップと、
上記第１の放送受信機のリスト受信部が、上記リスト送信部により送信された上記受信可能局リストを受信する第５のステップを有する
ことを特徴とする放送局のスキャン方法。
【発明の詳細な説明】
【技術分野】
【０００１】
本発明は、放送局のスキャンシステムおよびスキャン方法に関し、特に、所定の条件を満たしたときにスキャンを実行してプリセットメモリの受信可能局リストを更新するシステムに用いて好適なものである。
【背景技術】
【０００２】
従来、テレビやラジオなどの放送波を受信し、所望の放送番組をユーザが視聴できるようにした車載用の放送受信機が提供されている。車載用の放送受信機では、ある放送局の放送の視聴中に、車両がその放送局の受信可能エリアを外れて移動すると、それまで視聴していた放送局の受信ができなくなるという問題がある。この問題に対し、視聴中の放送局の受信強度が所定値以下に低下した場合に、バックグラウンドで全周波数のスキャンを開始し、プリセットメモリの受信可能局リストを自動的に更新する機能が提供されている。
【０００３】
なお、放送受信機には、１つのチューナのみを内蔵したものと、複数のチューナを内蔵したものとが存在する。１チューナタイプの放送受信機の場合、特定の放送局の受信中（放送の視聴中）は、全周波数のスキャンを行うことができない。もし、スキャンを行った場合、特定の放送局の受信ができなくなり、視聴ができなくなってしまう。すなわち、県境など放送局が切り替わるタイミングで、視聴中の放送局の受信がいったん途切れてしまうという問題があった。
【０００４】
これに対し、複数チューナタイプの放送受信機の場合は、特定の放送局の受信を続けながらスキャンを実行することができる。例えば、第１のチューナで放送局の電波を受信し、第２のチューナでスキャンを実行して受信可能局リストを生成する技術が知られている（例えば、特許文献１，２参照）。しかしながら、複数のチューナを備えた放送受信機であっても、スキャンのために少なくとも１つのチューナを占用するため、ダイバーシティ合成の有用性を活用し切れないという問題があった。
【先行技術文献】
【特許文献】
【０００５】
【特許文献１】特開２００６−１３９４５号公報
【特許文献２】特開２０１１−３５８８３号公報
【発明の概要】
【発明が解決しようとする課題】
【０００６】
本発明は、このような問題を解決するために成されたものであり、１チューナタイプの放送受信機において、受信中の放送局の視聴を続けながらスキャンを行うことができるようにすることを目的とする。また、本発明は、複数チューナタイプの放送受信機において、ダイバーシティ合成の有用性をフル活用しながらスキャンを行うことができるようにすることを目的とする。
【課題を解決するための手段】
【０００７】
上記した課題を解決するために、本発明では、第１の放送受信機は、第２の放送受信機にスキャンの実行を要求する。第２の放送受信機は、この要求に応じてスキャンを実行し、そのスキャン結果を第１の放送受信機に送信する。そして、第１の放送受信機は、第２の放送受信機からスキャン結果として返送されてくる１以上の放送局の情報に従って、受信可能局リストを生成する。
【発明の効果】
【０００８】
上記のように構成した本発明によれば、例えば第１の放送受信機が１つのチューナのみを備える放送受信機の場合、第１の放送受信機ではそれまで受信中の放送局の受信を継続しつつ、第２の放送受信機でスキャンを行い、そのスキャンが終了したタイミングで、当該スキャンの結果を利用して、第１の受信機で受信可能局リストを生成することができる。これにより、第１の受信機で受信中の放送局の視聴を続けながらスキャンを行うことができる。
【０００９】
また、本発明によれば、例えば第１の放送受信機が複数のチューナを備える放送受信機の場合、第１の放送受信機では当該複数のチューナを用いてダイバーシティ合成による受信を継続しつつ、第２の放送受信機でスキャンを行い、そのスキャンが終了したタイミングで、当該スキャンの結果を利用して、第１の受信機で受信可能局リストを生成することができる。これにより、第１の受信機でダイバーシティ合成の有用性をフル活用しながらスキャンを行うことができる。
【図面の簡単な説明】
【００１０】
【図１】第１および第２の実施形態による放送局のスキャンシステムの全体構成を示す図である。
【図２】第１の実施形態による車載機およびスマートフォンの要部構成例を示すブロック図である。
【図３】第１の実施形態による放送局のスキャンシステムの動作例を示すフローチャートである。
【図４】第２の実施形態による車載機およびスマートフォンの要部構成例を示すブロック図である。
【図５】第１の実施形態の課題を説明するための図である。
【図６】第２の実施形態による放送局のスキャンシステムの動作例を示すフローチャートである。
【発明を実施するための形態】
【００１１】
（第１の実施形態）
以下、本発明の第１の実施形態を図面に基づいて説明する。図１は、第１の実施形態による放送局のスキャンシステムの全体構成を示す図である。図１に示すように、第１の実施形態による放送局のスキャンシステムは、少なくとも１つのチューナを備えた車載機１００（第１の放送受信機に相当）と、少なくとも１つのチューナを備えたスマートフォン２００（第２の放送受信機に相当）とを備え、車載機１００とスマートフォン２００とが通信ネットワーク３００を介して相互に通信可能になされている。
【００１２】
車載機１００とスマートフォン２００との間を接続する通信ネットワーク３００は、ＵＳＢ（Universal Serial Bus）等のような有線ネットワークであってもよいし、Ｂｌｕｅｔｏｏｔｈ（登録商標）やＷｉＦｉのような無線ネットワークであってもよい。
【００１３】
図２は、第１の実施形態による車載機１００およびスマートフォン２００の要部構成例を示すブロック図である。図２に示すように、第１の実施形態による車載機１００は、アンテナ１０１、チューナ１０２、ＯＦＤＭ復調部１０３、誤り訂正部１０４、デマルチプレクサ部１０５、オーディオデコーダ部１０６、ビデオデコーダ部１０７、データデコーダ部１０８、プリセットメモリ１０９および制御部１１０を備えている。制御部１１０は、その機能構成として、電界強度検出部１１、電界強度判定部１２、スキャン要求部１３、放送局情報受信部１４およびリスト生成部１５を備えている。なお、車載機１００の制御部１１０はスキャンを実行する機能を有しているが、ここでは図示を省略している。
【００１４】
また、第１の実施形態によるスマートフォン２００は、アンテナ２０１、チューナ２０２、ＯＦＤＭ復調部２０３、誤り訂正部２０４、デマルチプレクサ部２０５、オーディオデコーダ部２０６、ビデオデコーダ部２０７、データデコーダ部２０８および制御部２１０を備えている。制御部２１０は、その機能構成として、電界強度検出部２１、スキャン処理部２２および放送局情報送信部２３を備えている。
【００１５】
まず、車載機１００の構成について説明する。アンテナ１０１は、デジタル放送の電波を受信する。チューナ１０２は、アンテナ１０１によって受信したデジタル放送の電波から所望のチャンネルに合致した受信周波数の放送波信号を選択的に抽出して出力する。
【００１６】
ＯＦＤＭ復調部１０３は、チューナ１０２で受信した放送波信号をＯＦＤＭ（Orthogonal Frequency-Division Multiplexing）復調してトランスポートストリーム（Transport Stream：以下、ＴＳと記す）を得る。誤り訂正部１０４は、ＯＦＤＭ復調部１０３により復調されたＴＳに対して、伝送路で発生した誤りの訂正を実行する。
【００１７】
デマルチプレクサ部１０５は、多重化されているＴＳを分離して映像ストリーム、音声ストリームおよびデータストリームを得る。そして、デマルチプレクサ部１０５は、音声ストリームをオーディオデコーダ部１０６に出力し、映像ストリームをビデオデコーダ部１０７に出力し、データストリームをデータデコーダ部１０８に出力する。
【００１８】
ここで、データストリームには、受信中の放送局に関する情報、受信した信号の誤り率を表すＢＥＲ（Bit Error Rate）などが含まれている。受信中の放送局に関する情報には、放送番組の名称や放送日時などの番組に関する情報や、放送局名、ＴＳＩＤ、系列局ＩＤ、物理チャンネルなどチャンネルに関する情報が含まれている。
【００１９】
放送局名は、受信中の放送局の名称を示す。ＴＳＩＤは、放送局固有のＩＤであり、全国で一意のＩＤが割り振られている。系列局ＩＤは、放送局がどの系列に属しているのかを示すＩＤである。例えば、系列局ＩＤ＝０の場合はＮＨＫ総合、系列局ＩＤ＝１の場合はＮＨＫ教育、系列局ＩＤ＝２の場合は日本テレビといったように、系列固有のＩＤが割り振られている。物理チャンネルは、放送局のチャンネル（受信周波数）を示す情報である。
【００２０】
オーディオデコーダ部１０６は、入力した音声ストリームをデコードし、音声信号としてスピーカ（図示せず）から出力する。ビデオデコーダ部１０７は、入力した映像ストリームをデコードし、映像信号としてディスプレイ（図示せず）に出力する。データデコーダ部１０８は、入力したデータストリームをデコードして制御データとして制御部１１０に出力する。
【００２１】
プリセットメモリ１０９は、１以上の受信可能な放送局に関する情報を受信可能局リストとして１以上のプリセット番号に対応して記憶しておくものである。このプリセットメモリ１０９には、少なくとも放送局の物理チャンネルの情報がプリセット番号ごとに記憶されている。ユーザがプリセット選択ボタン（図示せず）を操作して何れかのプリセット番号を任意に選択すると、チューナ１０２は、その選択されたプリセット番号に対応してプリセットメモリ１０９に記憶されている物理チャンネルを受信チャンネルとして設定する。
【００２２】
制御部１１０は、車載機１００の全体の動作を制御する。すなわち、制御部１１０は、チューナ１０２、ＯＦＤＭ復調部１０３、誤り訂正部１０４、デマルチプレクサ部１０５、オーディオデコーダ部１０６、ビデオデコーダ部１０７およびデータデコーダ部１０８の動作を制御する。
【００２３】
制御部１１０の電界強度検出部１１は、例えばデータデコーダ部１０８から供給されるＢＥＲに基づいて、車載機１００で受信中の放送局の電界強度を検出する。電界強度判定部１２は、電界強度検出部１１により検出された電界強度が所定値以下となったか否かを判定する。この電界強度検出部１１および電界強度判定部１２は、本発明の条件判定部に相当するものであり、スキャンを実行する条件を満たすか否か（電界強度が所定値以下となったか否か）を判定する。
【００２４】
スキャン要求部１３は、電界強度判定部１２により電界強度が所定値以下となったと判定された場合、スキャンの実行をスマートフォン２００に要求する。放送局情報受信部１４は、スキャン要求部１３による要求に応じてスマートフォン２００から返送されてくる１以上の放送局に関する情報を受信する。ここで、放送局に関する情報は、少なくとも物理チャンネルの情報があればよい。なお、放送局名、ＴＳＩＤ、系列局ＩＤなどの情報が含まれていてもよい。
【００２５】
リスト生成部１５は、放送局情報受信部１４により受信された１以上の放送局に関する情報に従って、物理チャンネルから成る受信可能局リストを生成してプリセットメモリ１０９に記憶させる。
【００２６】
次に、スマートフォン２００の構成について説明する。アンテナ２０１は、デジタル放送の電波を受信する。チューナ２０２は、アンテナ２０１によって受信したデジタル放送の電波から所望のチャンネルに合致した受信周波数の放送波信号を選択的に抽出して出力する。ＯＦＤＭ復調部２０３は、チューナ２０２で受信した放送波信号をＯＦＤＭ２復調してＴＳを得る。
【００２７】
誤り訂正部２０４は、ＯＦＤＭ復調部２０３により復調されたＴＳに対して、伝送路で発生した誤りの訂正を実行する。デマルチプレクサ部２０５は、多重化されているＴＳを分離して映像ストリーム、音声ストリームおよびデータストリームを得る。そして、デマルチプレクサ部２０５は、音声ストリームをオーディオデコーダ部２０６に出力し、映像ストリームをビデオデコーダ部２０７に出力し、データストリームをデータデコーダ部２０８に出力する。
【００２８】
オーディオデコーダ部２０６は、入力した音声ストリームをデコードし、音声信号としてスピーカ（図示せず）から出力する。ビデオデコーダ部２０７は、入力した映像ストリームをデコードし、映像信号としてディスプレイ（図示せず）に出力する。データデコーダ部２０８は、入力したデータストリームをデコードして制御データとして制御部２１０に出力する。
【００２９】
制御部２１０は、スマートフォン２００の全体の動作を制御する。すなわち、制御部２１０は、チューナ２０２、ＯＦＤＭ復調部２０３、誤り訂正部２０４、デマルチプレクサ部２０５、オーディオデコーダ部２０６、ビデオデコーダ部２０７およびデータデコーダ部２０８の動作を制御する。
【００３０】
制御部１１０の電界強度検出部２１は、例えばデータデコーダ部２０８から供給されるＢＥＲに基づいて、スマートフォン２００でスキャン中の放送局の電界強度を検出する。
【００３１】
スキャン処理部２２は、車載機１００のスキャン要求部１３により送られてきた要求に応じて、受信可能な１以上の放送局を抽出するためのスキャンを実行する。具体的には、スキャン処理部２２は、全周波数を順次サーチしながら電界強度が基準値より大きくなっている１以上の放送局を抽出する。この基準値は、電界強度判定部１２が判定に用いる所定値と同じ値であってもよいし、異なる値であってもよい。
【００３２】
放送局情報送信部２３は、スキャン処理部２２によりスキャンされた１以上の放送局に関する情報（上述したように、少なくとも物理チャンネルの情報）を車載機１００に送信する。
【００３３】
図３は、上記のように構成した第１の実施形態による放送局のスキャンシステムの動作例を示すフローチャートである。図３に示すフローチャートは、車載機１００とスマートフォン２００とを通信ネットワーク３００を介して接続し、車載機１００にてある放送局の受信を指示したときに開始する。
【００３４】
まず、車載機１００の電界強度検出部１１は、データデコーダ部１０８から供給されるＢＥＲに基づいて、受信中の放送局の電界強度を検出する（ステップＳ１）。そして、電界強度判定部１２は、電界強度検出部１１により検出された電界強度が所定値以下となったか否かを判定する（ステップＳ２）。ここで、電界強度が所定値以下になっていない場合、処理はステップＳ１に戻る。
【００３５】
一方、電界強度判定部１２により電界強度が所定値以下になったと判定された場合、スキャン要求部１３は、スマートフォン２００にスキャンの実行を要求する（ステップＳ３）。スマートフォン２００のスキャン処理部２２は、車載機１００のスキャン要求部１３により送られてきた要求に応じて、スキャン処理を実行する（ステップＳ４）。
【００３６】
放送局情報送信部２３は、スキャン処理部２２によりスキャンされた１以上の放送局に関する情報を車載機１００に送信する（ステップＳ５）。車載機１００の放送局情報受信部１４は、スマートフォン２００から送られてくる１以上の放送局に関する情報を受信する（ステップＳ６）。
【００３７】
そして、リスト生成部１５は、放送局情報受信部１４により受信された１以上の放送局に関する情報に従って、受信可能局リストを生成してプリセットメモリ１０９に記憶させる（ステップＳ７）。これにより、図３に示すフローチャートの処理をいったん終了し、再びステップＳ１から処理を開始する。
【００３８】
以上詳しく説明したように、第１の実施形態では、車載機１００で受信中の放送局の電界強度が所定値以下となった場合、スマートフォン２００にスキャンの実行を要求する。スマートフォン２００は、この要求に応じてスキャンを実行し、そのスキャン結果を車載機１００に送信する。そして、車載機１００は、スマートフォン２００からスキャン結果として返送されてくる１以上の放送局の情報に従って、受信可能リストを生成してプリセットメモリ１０９に記憶させる。
【００３９】
このように構成した第１の実施形態によれば、車載機１００ではそれまでチューナ１０２にて受信中の放送局の受信を継続しつつ、スマートフォン２００のチューナ２０２でスキャンを行い、そのスキャンが終了したタイミングで、当該スキャンの結果を利用して、受信可能リストを生成してプリセットメモリ１０９に記憶させることができる。これにより、車載機１００で受信中の放送局の視聴を続けながらスキャンを行うことができる。
【００４０】
なお、上記第１の実施形態では、車載機１００がチューナ１０２を１つのみ備える構成について説明したが、複数のチューナを備える場合には、次のようなメリットを有する。すなわち、車載機１００では複数のチューナを用いてダイバーシティ合成による受信を継続しつつ、スマートフォン２００でスキャンを行い、そのスキャンが終了したタイミングで、当該スキャンの結果を利用して、受信可能リストを生成してプリセットメモリ１０９に記憶させることができる。これにより、車載機１００でダイバーシティ合成の有用性をフル活用しながらスキャンを行うことができる。
【００４１】
（第２の実施形態）
次に、本発明の第２の実施形態を図面に基づいて説明する。第２の実施形態による放送局のスキャンシステムの全体構成は、図１と同様である。図４は、第２の実施形態による車載機１００およびスマートフォン２００の要部構成例を示すブロック図である。なお、この図４において、図２に示した符号と同一の符号を付したものは同一の機能を有するものであるので、ここでは重複する説明を省略する。
【００４２】
図２に示した第１の実施形態のように、車載機１００により所望の放送局の受信を行う一方でスマートフォン２００によりスキャンを行う場合、車載機１００の受信感度とスマートフォン２００の受信感度とが異なるため、同じ放送局を受信する場合でも、それぞれの電界強度検出部１１，２１で検出される電界強度にバラツキが生じてしまうことがある。これにより、車載機１００でスキャンを実行した場合と、スマートフォン２００でスキャンを実行した場合とで抽出される放送局に差が生じてしまう。
【００４３】
図５は、第１の実施形態の課題を説明するための図である。例えば、電界強度が１５[ｄＢｕＶ]以上の放送局をスキャンによって抽出するものとする。この場合、スマートフォン２００のスキャン処理部２２”でスキャンした各放送局の電界強度が図５（ａ）の通りであったとすると、スキャン処理部２２”によって抽出される放送局は、Ａ放送、Ｄ放送、Ｅ放送、・・・となる。
【００４４】
これに対して、車載機１００で検出される電界強度がスマートフォン２００で検出される電界強度より５[ｄＢｕＶ]大きい場合には、車載機１００のスキャン処理部（図示せず）でスキャンした各放送局の電界強度は図５（ｂ）の通りとなる。この場合、車載機１００で抽出される放送局は、Ａ放送、Ｂ放送、Ｄ放送、Ｅ放送、Ｆ放送、・・・となる。つまり、車載機１００で本来受信可能なはずのＢ放送とＦ放送が、スマートフォン２００でスキャンすると抽出できず漏れてしまうことになる。
【００４５】
一方、車載機１００で検出される電界強度がスマートフォン２００で検出される電界強度より５[ｄＢｕＶ]小さい場合には、車載機１００のスキャン処理部（図示せず）でスキャンした各放送局の電界強度は図５（ｃ）の通りとなる。この場合、車載機１００で抽出される放送局は、Ｄ放送、Ｅ放送、・・・となる。つまり、車載機１００で本来受信できないはずのＡ放送が、スマートフォン２００でスキャンすると抽出されてプリセットされてしまうことになる。
【００４６】
このような問題を解消するようにしたのが第２の実施形態である。図４に示すように、第２の実施形態による車載機１００が備える制御部１１０は、その機能構成として、電界強度通知部１６を更に備えるとともに、電界強度検出部１１およびスキャン要求部１３の代わりに電界強度検出部１１”およびスキャン要求部１３”を備えている。
【００４７】
また、第２の実施形態によるスマートフォン２００が備える制御部２１０は、その機能構成として、電界強度受信部２４、補正値算出部２５および補正部２６を更に備えるとともに、電界強度検出部２１およびスキャン処理部２２の代わりに電界強度検出部２１”およびスキャン処理部２２”を備えている。なお、電界強度検出部２１”は、本発明の第２の電界強度検出部に相当する。
【００４８】
車載機１００のスキャン要求部１３”は、電界強度判定部１２により電界強度が所定値以下になったと判定された場合、車載機１００で受信中の放送局に関する情報をスマートフォン２００に送信してスキャンの実行を要求する。ここで送信する放送局に関する情報は、少なくとも物理チャンネルがあればよいが、番組に関する情報や、放送局名、ＴＳＩＤ、系列局ＩＤなどチャンネルに関する情報が含まれていてもよい。
【００４９】
電界強度検出部１１”は、スキャン要求部１３”がスキャンの実行をスマートフォン２００に要求した時点で、データデコーダ部１０８から供給されるＢＥＲに基づいて、車載機１００で受信中の放送局の電界強度を検出する。なお、ここで検出する電界強度の値は、電界強度判定部１２において電界強度が所定値以下になったと判定したときの電界強度（＝所定値）と同じ値であるから、必ずしも改めて検出しなくてもよい。
【００５０】
電界強度通知部１６は、スキャン要求部１３”がスキャンの実行をスマートフォン２００に要求した時点で電界強度検出部１１”により検出された電界強度をスマートフォン２００に通知する。スマートフォン２００の電界強度受信部２４は、車載機１００の電界強度通知部１６により通知された電界強度を受信する。
【００５１】
スマートフォン２００の電界強度検出部２１”は、スキャン処理部２２”が車載機１００からスキャンの実行の要求と共に受信中の放送局に関する情報を受信した時点で、当該受信中の放送局についてスマートフォン２００での電界強度を検出する。すなわち、スキャン処理部２２”が受信した放送局に関する物理チャンネルの情報に従ってチューナ２０２を選局することにより、車載機１００で受信中の放送局と同じ放送局をスマートフォン２００でも受信する。この状態で、電界強度検出部２１”は、データデコーダ部２０８から供給されるＢＥＲに基づいて、電界強度を検出する。
【００５２】
補正値算出部２５は、スキャン要求部１３”がスキャンの実行をスマートフォン２００に要求した時点で電界強度検出部１１”により検出された電界強度（すなわち、当該要求をした時点で電界強度通知部１６から電界強度受信部２４に通知された電界強度）と、その要求をスキャン処理部２２”が受けた時点で上述のように電界強度検出部２１”により検出された電界強度とに基づいて、補正値を算出する。例えば、補正値算出部２５は、電界強度検出部１１”により検出された車載機１００での電界強度から電界強度検出部２１”により検出されたスマートフォン２００での電界強度を減算し、その減算値を補正値として算出する。
【００５３】
補正部２６は、スキャン処理部２２”がスキャンを実行する際に、スキャンした各放送局の電界強度との比較対象とされる基準値を、補正値算出部２５により算出された補正値によって補正する。上述のように減算値を補正値とする場合、補正部２６は、あらかじめ決められた基準値（１５[ｄＢｕＶ]）から補正値算出部２５により算出された補正値を減算することによって補正を実行する。
【００５４】
スキャン処理部２２”は、補正部２６により補正された基準値を利用してスキャンを実行する。例えば、図５（ｂ）のように、車載機１００で検出される電界強度がスマートフォン２００で検出される電界強度より５[ｄＢｕＶ]大きい場合、補正値算出部２５により算出される補正値は５[ｄＢｕＶ]となる。また、補正部２６によって補正された基準値は１０（＝１５−５）[ｄＢｕＶ]となる。この場合、スマートフォン２００のスキャン処理部２２”により抽出される放送局は、Ａ放送、Ｂ放送、Ｄ放送、Ｅ放送、Ｆ放送、・・・となり、車載機１００で受信可能な放送局と一致する。
【００５５】
一方、図５（ｃ）のように、車載機１００で検出される電界強度がスマートフォン２００で検出される電界強度より５[ｄＢｕＶ]小さい場合、補正値算出部２５により算出される補正値は−５[ｄＢｕＶ]となる。また、補正部２６によって補正された基準値は２０（＝１５＋５）[ｄＢｕＶ]となる。この場合、スマートフォン２００のスキャン処理部２２”により抽出される放送局は、Ｄ放送、Ｅ放送、・・・となり、車載機１００で受信可能な放送局と一致する。
【００５６】
図６は、上記のように構成した第２の実施形態による放送局のスキャンシステムの動作例を示すフローチャートである。図６に示すフローチャートは、車載機１００とスマートフォン２００とを通信ネットワーク３００を介して接続し、車載機１００にてある放送局の受信を指示したときに開始する。
【００５７】
まず、車載機１００の電界強度検出部１１”は、データデコーダ部１０８から供給されるＢＥＲに基づいて、受信中の放送局の電界強度を検出する（ステップＳ１１）。そして、電界強度判定部１２は、電界強度検出部１１”により検出された電界強度が所定値以下となったか否かを判定する（ステップＳ１２）。ここで、電界強度が所定値以下になっていない場合、処理はステップＳ１１に戻る。
【００５８】
一方、電界強度判定部１２により電界強度が所定値以下になったと判定された場合、スキャン要求部１３”は、データデコーダ部１０８から供給される受信中の放送局に関する情報をスマートフォン２００に送信してスキャンの実行を要求する（ステップＳ１３）。また、電界強度通知部１６は、スキャン要求部１３”がスキャンの実行をスマートフォン２００に要求した時点で電界強度検出部１１”により検出された電界強度をスマートフォン２００に通知する（ステップＳ１４）。
【００５９】
スマートフォン２００の電界強度検出部２１”は、スキャン処理部２２”が車載機１００からスキャンの実行の要求と共に受信中の放送局に関する情報を受信した時点で、当該受信中の放送局についてスマートフォン２００での電界強度を検出する（ステップＳ１５）。そして、補正値算出部２５は、ステップＳ１４で電界強度通知部１６から電界強度受信部２４に通知された車載機１００での電界強度と、ステップＳ１５で電界強度検出部２１”により検出されたスマートフォン２００での電界強度との差分から補正値を算出する（ステップＳ１６）。
【００６０】
その後、補正部２６は、スキャン処理で使用する基準値を補正値算出部２５により算出された補正値によって補正する（ステップＳ１７）。そして、スキャン処理部２２”は、補正部２６により補正された基準値を利用してスキャン処理を実行する（ステップＳ１８）。放送局情報送信部２３は、スキャン処理部２２”によりスキャンされた１以上の放送局に関する情報を車載機１００に送信する（ステップＳ１９）。
【００６１】
車載機１００の放送局情報受信部１４は、スマートフォン２００から送られてくる１以上の放送局に関する情報を受信する（ステップＳ２０）。そして、リスト生成部１５は、放送局情報受信部１４により受信された１以上の放送局に関する情報に従って、受信可能局リストを生成してプリセットメモリ１０９に記憶させる（ステップＳ２１）。これにより、図６に示すフローチャートの処理をいったん終了し、再びステップＳ１１から処理を開始する。
【００６２】
このように構成した第２の実施形態によれば、車載機１００とスマートフォン２００との受信感度の差によって生じる電界強度の差分に基づいて、スキャン処理で使用する基準値を補正することによって、スマートフォン２００の受信感度を車載機１００の受信感度と仮想的に同じ状態とすることができる。これにより、車載機１００およびスマートフォン２００のそれぞれで検出される電界強度のバラツキを相殺し、車載機１００で受信可能な放送局が抽出されずに漏れてしまったり、車載機１００で受信不可能な放送局が余分に抽出されてしまったりする不都合を解消することができる。
【００６３】
なお、上記第２の実施形態では、車載機１００での電界強度からスマートフォン２００での電界強度を減算することによって補正値を算出し、あらかじめ決められた基準値から補正値を減算することによって補正を実行する例について説明したが、本発明はこれに限定されない。例えば、スマートフォン２００での電界強度から車載機１００での電界強度を減算することによって補正値を算出し、あらかじめ決められた基準値に補正値を加算することによって補正を実行するようにしてもよい。
【００６４】
また、補正部２６は、スキャン処理部２２”がスキャンを実行する際に検出される電界強度を、補正値算出部２５により算出された補正値によって補正するようにしてもよい。例えば、車載機１００での電界強度からスマートフォン２００での電界強度を減算することによって補正値を算出し、電界強度検出部２１”により検出された電界強度に対して、補正値算出部２５により算出された補正値を加算することによって補正を実行する。
【００６５】
また、上記第２の実施形態では、補正値算出部２５をスマートフォン２００が備える構成について説明したが、車載機１００が備えるようにしてもよい。この場合、スキャン処理部２２”が車載機１００からスキャンの実行の要求を受信した時点で電界強度検出部２１”により検出されたスマートフォン２００での電界強度を車載機１００に通知し、車載機１００において電界強度の差分から補正値を算出する。そして、その補正値をスマートフォン２００に通知する。
【００６６】
また、上記第１および第２の実施形態では、第１の放送受信機の一例として車載機１００を挙げ、第２の放送受信機の一例としてスマートフォン２００を挙げて説明したが、本発明はこれに限定されない。例えば、第１の放送受信機をスマートフォン２００、第２の放送受信機を車載機１００としてもよい。この場合、車載機１００が複数のチューナを備えた構成であれば、複数のスマートフォン２００と１つの車載機１００とが接続された状態で、各スマートフォン２００でそれぞれ所望の放送局の受信を継続して実行したまま、車載機１００において各スマートフォン２００からの要求に応じてスキャンを実行することができる。なお、チューナを備えて放送波を受信できるものであれば、車載機１００やスマートフォン２００以外の電子機器を用いてもよい。
【００６７】
また、上記第１および第２の実施形態では、スキャンを実行する条件として、車載機１００で受信中の放送局の電界強度が所定値以下となったか否かを判定する例について説明したが、本発明はこれに限定されない。例えば、前回スキャンを行ったときから所定時間が経過したか否かを判定し、所定時間が経過したタイミングでスキャンを実行するようにしてもよい。または、前回スキャンを行ったときから車両が所定距離移動したか否かを判定し、所定距離移動したタイミングでスキャンを実行するようにしてもよい。または、ユーザが車載機１００の操作部を操作してスキャンの実行を指示したタイミングとしてもよい。その他、スキャンの実行を要求するタイミングは任意に設計することが可能である。
【００６８】
また、上記第１および第２の実施形態では、車載機１００からの要求に応じてスマートフォン２００がスキャンを実行し、そのスキャン結果を利用して車載機１００が受信可能局リストを生成する例について説明したが、本発明はこれに限定されない。例えば、リスト生成部１５をスマートフォン２００に設け、車載機１００は放送情報受信部１４の代わりにリスト受信部を備えるとともに、スマートフォン２００は放送情報送信部２３の代わりにリスト送信部を備えることにより、車載機１００からの要求に応じてスマートフォン２００がスキャンを実行してさらに受信可能局リストを生成し、生成した受信可能局リストを車載機１００に送信するようにしてもよい。
【００６９】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７０】
１１，１１”  電界強度検出部
１２  電界強度判定部
１３，１３”  スキャン要求部
１４  放送局情報受信部
１５  リスト生成部
１６  電界強度通知部
２１，２１”  電界強度検出部（第２の電界強度検出部）
２２，２２”  スキャン処理部
２３  放送局情報送信部
２４  電界強度受信部
２５  補正値算出部
２６  補正部
１００  車載機（第１の放送受信機）
１０２  チューナ
２００  スマートフォン（第２の放送受信機）
２０２  チューナ
【図１】
2015119439.tif 000003
【図２】
2015119439.tif 000004
【図３】
2015119439.tif 000005
【図４】
2015119439.tif 000006
【図５】
2015119439.tif 000007
【図６】
2015119439.tif 000008